(57)【要約】【課題】  イカ釣りに使う疑似餌がイカの弱いアタリに反応し、アタリで針合わせを効果的に出来確実に釣り上げることの出来る疑似餌である事。【解決の手段】  イカ釣りに使う疑似餌において、合成樹脂で浮力材或いは非浮力材成形でなる本体部１の全長部に貫通する芯軸２を係合し、これらの芯軸２の片方の端子２ａに複数の釣り針で成る傘状釣り針３が固着され、他方の端部２ｂにはハリスＡが接続され、これらの端子２ａと端部２ｂとの間で、本体部１を前後スライド移動自在にした構成とする。【選択図】図１
2008212129.tif 000002
【特許請求の範囲】
【請求項１】
イカ釣りに使う疑似餌において、合成樹脂で浮力材或いは非浮力材成形でなる本体部（１）の全長部に貫通する芯軸（２）を係合し、これらの芯軸（２）の片方の端子（２ａ）に複数の釣り針で成る傘状釣り針（３）が固着され、他方の端部（２ｂ）にはハリス（Ａ）が接続され、これらの端子（２ａ）と端部（２ｂ）との間で、本体部（１）を前後スライド移動自在にしたことを特徴とするイカ釣り用疑似餌。
【請求項２】
前記する本体部（１）の傘状釣り針（３）側の端子（１ａ）にキャップ体（１ｂ）を一体化し、該キャップ体（１ｂ）付き本体部（１）の前後スライド移動に依って、傘状釣り針（３）がキャップ体（１ｂ）に出没可能にした事を特徴とする請求項１記載のイカ釣り用疑似餌。
【請求項３】
前記する本体部（１）の片方の先端の一部をクリップ状（１ｂ）にし、これに貫通する芯軸（２）の端部（２ｂ）に近接して設けた凸状ストッパーリング（２ｃ）を挟み込みロックし、イカ釣り時に、本体部（１）に付加するイカのアタリとなる牽引力Ｐにて、はじめてロックが解除しスライド移動を可能にした事を特徴とする請求項１又は２項記載のイカ釣り用疑似餌。
【発明の詳細な説明】
【技術分野】
【０００１】  この発明は岸釣りでのアオリイカ、ケンサキイカ、ヤリイカや船釣りでのコウイカ、スルメイカ等を釣り上げるのに使う疑似餌の改良に関し詳しくは、釣り針が引っ掛かり易く且つ引っ掛かった釣り針からイカが不測に脱離する事なく釣果を上げる事の出来るイカ釣り用疑似餌に関する。
【背景技術】
【０００２】  釣りの仕掛けはいと切れの少ない軟らかめの釣り竿で、アオリイカは最も良く釣れる時間帯が日没から３時間程度を狙いとする為、電気ウキや立ちウキを使った仕掛けが中心で、イカの生息するポイントは潮の流れのゆるいところで、疑似餌だ使われてのイカ釣りでは、ウキが消し込むアタリはほとんど少なく、ウキの微妙な変化を察知してサオを軽くアオリ、重い手応えでアタリと判断しながらイカ釣りを行っている。【０００３】  また日本海で、もっとも良く釣られるスルメイカは水深１００〜１８０メートルのところを群れをなして泳いでいる。さらに、ヤリイカにおいては、水深２００メートル前後の深海に生息し、潮流に乗って移動し、足の長さに比べ胴が長いのが特徴で、柔らかい肉として知られる。このようにスルメイカもヤリイカもハリスに複数の擬似餌さをつけ、タナを垂直に攻める胴つき仕掛けで、イカ釣りが行なわれる。【０００４】  これらの何れのイカ類も餌を狙い食い付くのに頭足部８本を餌の方向に向け餌を包み込み、２本の腕を伸ばして無数の吸盤で餌を捕らえ吸着して、餌をくるくる回転させて軟らかな部分を見極め腕の中央に位置する口で捕食するが、臭覚や触覚に頼らず視覚によって捕食が行われるとされる。
【発明の開示】
【発明が解決しよとする課題】
【０００５】
【０００６】  しかしながら上記する従来技術の場合は、アタリの少ないアオリイカ釣りでは、サオを軽くアオリながら手応えをたよりに針を食い付かせなければならない等の課題がある。
【０００７】  そしてまた、ヤリイカのように柔らかい肉での釣り針の引っ掛かりが浅いとイカが離脱して釣り逃す等の課題がある。
【０００８】  されには、深海に生息するイカ釣りでは、複数の擬似餌さを付けて生息するタナに疑似餌が到達するのに擬似餌さ同志が絡み合う等の課題がある。
【０００９】  そしてまた、胴つき仕掛けでのイカ釣りは、擬似餌の海中での浮力が働き、かなり重い錘を仕掛けない限り、イカの生息するタナに到達すのにかなりの時間がかかる等の課題がある。
【課題を解決する為の手段】
【００１０】  この発明はかかる課題を解決するする為に、請求項１での発明は図１で述べるように、合成樹脂で浮力材或いは非浮力材成形でなる本体部１の全長部に貫通する芯軸２を係合し、これらの芯軸２の片方の端子２ａに複数の針で成る傘状釣り針３が固着され、他方の端部２ｂにはハリスＡが接続され、これらの端子２ａと端部２ｂとの間で、本体部１を前後スライド移動自在での構成とする。
【００１１】  次ぎに請求項２での発明は図２で述べるように、前記する本体部１の傘状釣り針３側の端子１ａにキャップ体１ｂを一体化し、該キャップ体１ｂ付き本体部１の前後スライド移動に依って、傘状釣り針３がキャップ体１ｂに出没可能にした構成にする。
【００１２】  次ぎに請求項３での発明は図３で述べるように、前記する本体部１の片方先端の一部をクリップ状１ｂにし、これに貫通する芯軸２の端部２ｂに近接して設けた凸状ストッパーリング２ｃを挟み込みロックし、イカ釣り時に、本体部１に付加するイカのアタリとなる牽引力Ｐにて、はじめてロックが解除しスライド移動を可能な構成にする。
【発明の効果】
【００１３】  本発明は、上述の通り構成作用するので、次ぎの優れた効果を奏する。即ち、請求項１での第一実施例で述べるように、浮力材での芯軸の端部に向け海中で浮力を受け浮上し待機する本体部をイカの足部で巻き込み、２本の腕を使って口元に運ぼうとするときに、本体部がスルスルと傘状釣り針に向け移動して行く事で、本体部にからまっている足部や腕が芯軸の端子に固着する傘状釣り針に、突き刺さりアタリと成って釣り上げる事の出来、そしてまた、浮力の有る本体部が芯軸をイカの牽引力にでの移動時に、極弱いイカのアタリを察知出来るイカ釣り用擬似餌を提供出来る。
【００１４】  次ぎに、請求項２での第二実施例で述べるように、浮力材での芯軸の端部に待機するキャップ体と一体化する本体部は、海中に疑似餌を投げ込みイカの生息する深海に沈めるのに仕掛けの錘が先行し沈み、複数の針（傘状釣り針）は浮力を受けて芯軸を移動するキャップ体に包み込まれる事で、複数の針同志が絡む事無く着低する事の出来るイカ釣り用疑似餌を提供する事が出きる。
【００１５】  次ぎにまた、請求項３での第三実施例では、本体部の先端の一部が芯軸のハリス側の端部に着脱自在での挟着ロックされた本体部の為、イカのアタリでの牽引力でロックの解除時に大きなアタリを感知出来る事で、針合わせを確実に出来るイカ釣り用疑似餌を提供出来る。
【００１６】  更にまた、非浮力材での比較的重く硬い本体部は、投入時の着低速度が速く、強い潮の流れに鈍感で、僅かなシャクリに芯軸に貫通する本体部のスライドアクしヨンの良い効果的な針合わせで釣り上げの出来るイカ釣り用擬似餌を提供出来る。
【００１７】  このように芯軸に貫通して前後にスライド移動する本体部は釣り人の与えるハリスのアオリ加減で生餌もどきに回転と前後の動きを可能にし、釣果をあげる事の出来るイカ釣り用疑似餌を提供出来る。
【発明を実施するための最良の形態】
【００１８】  以下に図示の実施例に基づいて本発明を更に詳細に説明する。即ち図１は本発明での第一実施例に基づく一部断面での全体を示す斜視図で、合成樹脂で細長状の小魚やえび形態摸造で成る本体部は、その材質の選択に依っては軟質で海中で浮力の働く低比重のＡＢＳ樹脂、ＰＯＭ樹脂、ＰＰ樹脂そしてまた、海中で沈み加減の比重の大きい硬いポリカボーネート樹脂などを使うことで夫々の本体部は海中でのイカ釣りに、夫々変化の有るアクションを持たせることが出来る。【００１９】  これらの、擬似餌となる本体部１の全長部に貫通する穴を開口し、これらの穴にスムーズに勘合する芯軸２が差し込まれ、その長さは本体部１の全長より程よい良さを持って、その片方の端子２ａにはイカを釣る為の複数の釣り針の集合で成る傘状釣り針３を固定して芯軸２と一体化し、他方の端部２ｂにはハリスが接続され道糸にと連係されるが、これらの端子２ａと端部２ｂとの間に本体部がサンドイッチに挟みかまれ、これらの間で外部に離脱する事無く前後にスライド移動自在に、アクションを加える事の出来る構成とする。【００２０】  即ちこれらの直線棒状の合成樹脂材で成る芯軸２の端子２ａに固定された傘状釣り針３は、其れに貫通して前後に移動を自在にセットで構成する本体部１を介して芯軸２の他方の端子２ｂがハリスＡに接続されて夫々が幹糸Ｂに結ばれて、ヨリモドジ或いは電気ウキ等を介して道糸へと接続され、片方の幹糸Ｂは錘Ｄに結ばれた仕掛けで数々のイカ類の疑似餌でのイカ釣りが行なわれる。【００２１】  またこれらの擬似餌の本体部１は、イカ釣り時に海中に投げ込まれるて着低までの間は、錘Ｄの付いた幹糸Ｂに引っ張られて、ハリスＡに連なる芯軸２の本体部１は海中で浮力を受けながら傘状釣り針３に隣接して先頭にたって沈んで行くことになるが、イカの生息するタナに着低後は図１で示すよう海中で浮力を受けて本体部１は矢印方向にスライドして移動した状態で海中をさ迷う。【００２２】  次ぎに図２は本発明での第二実施例に基づく一部断面での全体を示す斜視図で、前記する本体部１の傘状釣り針３の端子１ａにキャップ体１ｂを一体化し、該キャップ体１ｂ付き本体部１の前後スライド移動に依って、傘状釣り針３がキャップ体１ｂに出没可能な構成にする。【００２３】  これらのキャップ体１ｂを一体化する本体部１は、イカ釣り時に海中に投げ込まれて着低までの間は、錘Ｄが付いた幹糸Ｂに引っ張られて、ハリスＡに連なる芯軸２の本体部１は海中で浮力を受けながら傘状釣り針３に隣接移動し、本体部１に一体化する傘状のキャップ体１ｂが、傘状釣り針３を包み込む状態で海中に互いの数本のハリスに結ばれた擬似餌の傘状釣り針３は絡み合う事無く沈み、イカの生息するタナに着低後は図２で示すように海中で浮力を受けながら本体部１は、矢印方向にスライドし移動して、海中をさ迷う。【００２４】  次ぎにまた、図３は本発明での第三実施例に基づく全体を示す斜視図で、前記する本体部１の片方の一部をクリップ状１ｂにし、これに貫通する芯軸２の端部２ｂに近接して設けた凸状ストッパーリング２ｃを挟み込みロックし、イカ釣り時に、本体に付加する牽引力Ｐによるイカのアタリにて、はじめてロックが解除しスライド移動を可能に���た構成とする。【００２５】  これらの一定の挟着力による本体部１に設けたクリップ状１ｂの芯軸２とのロック結合は、イカ釣り時に海中に投げ込まれた疑似餌は、本体部１が海中での浮力で傘状釣り針３に隣接せずに沈み、着低後にイカのアタリとなる牽引力Ｐの付加を受けない限り本体部１の芯軸２とのロック結合が解除する事無く、完璧な大きいイカの牽引力Ｐでのロック解除時のアタリを見逃す事無く感知でき針合わせのアクションを加味するのに効果的である。【００２６】  何れの実施例もイカ釣り時にイカが本体部１に絡み付き、２本の腕の吸盤で吸い付けて、口元に運ぶ僅かなスライドで、本体部１のアタリを釣り人は感知し小刻みな小突きのシャクリやアオリなどのテクニックでのアクションが傘状釣り針３の動きと無関係に、前後に本体部１の持つ慣性体に動きを与え、針合わせが具現出来る構成から成るものである。【００２７】  そしてまた、イカの生息するタナでのアタリを付けるのに、本体部１のアオリやシャクリによって本体部１が生餌さもどきに違和感のない回転と前後の動きを巧みなアクションを加える事で、警戒心を誘発しない食い付き易い、イカ釣り用疑似餌を具現化している。【００２８】  浮力材での本体部１も非浮力材での本体ぶ１も夫々の特性を使い分けする事で、数あるイカ類の擬似餌でのイカ釣りに対応する事で、釣果を上げるのに大きな役割である。
【図面の簡単な説明】
【００２９】
【図１】本発明に係わる第一実施例での一部断面での全体斜視図である
【図２】本発明に係わる第二実施例での一部断面での全体斜視図である
【図３】本発明に係わる第三実施例での全体斜視図である
【図４】本発明に係わる第一実施例に基づく使用例での斜視図である
【図５】本発明に係わる第二実施例に基づく海中投入時の斜視図である
【符合の説明】
【００３０】      Ａ          ハリス      Ｂ          幹糸      Ｄ          錘      １          本体部      １ａ、２ａ  端子      １ｂ        キャップ体      ２          芯軸      ２ｂ        端部      ２ｃ        凸状ストッパーリング      ３          傘状釣り針
【図１】
2008212129.tif 000003
【図２】
2008212129.tif 000004
【図３】
2008212129.tif 000005
【図４】
2008212129.tif 000006
【図５】
2008212129.tif 000007